(57)【要約】【課題】  室内電源と電池による電力の両方で機能することができる空気清浄機を提供する。【解決手段】  本考案は、１本のオゾン光管と２個の光源と電源とによる一つの発光体で構成される、非常用常夜灯を備える電気光学式空気清浄機を提供する。この製品は、小型かつ軽量であり、空気中のウィルスとバクテリアを除去しながら停電時の非常用照明となるという複合機能を特徴とする。通常電源と電池による電力の両方に適応する。２個の電源は交換可能であるとともに互換性を有する。【選択図】      図２
0003114503.tif 000002
【実用新案登録請求の範囲】
【請求項１】
複数の角柱発光体と、
少なくとも１本のオゾン光管と、
前記発光体の内側に設けられた複数の２光源であって、該２光源の一方が、電源が入っていない時に点灯する非常灯電球であるとともに、他方が、通常使用中は常に点灯して非常時および／または電源が入っていない時には消灯する常時灯電球である複数の２光源と、
複数のパラボラ形反射体の端面に接続された透明フロントパネルとともに前記発光体の内部に装着された複数のパラボラ形反射体であって、着脱自在であるとともに、該発光体の前方端部に固定される複数のパラボラ形反射体と、
電気イニシアティブ回路と２本の通常電気コネクタとを備える複数の回路基板と、
を含む電気光学式空気清浄機と夜間非常灯。
【請求項２】
前記パラボラ形反射体と、該反射体の端面に内側から接続された１枚のフロントパネルとが透明材料で製作され、該反射体が、着脱自在であるとともに、前記発光体の前方端部に固定される請求項１に記載の電気光学式空気清浄機と夜間非常灯。
【請求項３】
前記発光体が２電源を有して、ユーザが持ち運び可能に電力をユーザにとって便利なものとし、通常電力が入っていない時には、該電源が前記電気イニシアティブ回路装置と前記発光体の非常灯電球とを起動し、該発光体の底部の乾電池部品の頂部に該電源が取り付けられ、該電源が、通常の乾電池または充電池に対する適応性を有して該乾電池と充電池との交換が可能であり、該発光体がさらに、ユーザが前記オゾン管の電源をオンおよびオフにするための清浄スイッチを左側に含み、該発光体が該非常灯電球をオンおよびオフにする手段となるスイッチを該発光体の右側に含む、請求項１に記載の電気光学式空気清浄機と夜間非常灯。
【請求項４】
前記回路基板が頂部の光子イニシエータに接続され、該光子イニシエータが前記オゾン光管を直接起動して、空気中のウィルスとバクテリアとを除去し、該オゾン管が、該オゾン管による空気中のウィルスおよびバクテリアの除去を向上させる複数の通気孔となる前記発光体の前端の上方内面に取り付けられ、該回路基板が、
複数の電気イニシアティブ回路と、
前記発光体の電源を得るように通常電気コンセントへ直接差し込まれる手段となる、該発光体の下端部にある少なくとも２本の金属製の通常電気コネクタと、
を含む請求項１に記載の電気光学式空気清浄機と夜間非常灯。
【請求項５】
前記発光体が２電源に対する適応性を有して、前記電気イニシアティブ回路と前記発光体の前記非常灯電球との起動を可能にし、該電源が、該発光体の底部の乾電池部品の頂部に取り付けられ、該電源が、通常乾電池または充電池に対する適応性を有して、該乾電池と充電池との交換が可能である請求項１に記載の電気光学式空気清浄機と夜間非常灯。
【請求項６】
前記２電源が交換可能であるとともに互換性を有する請求項１に記載の電気光学式空気清浄機と夜間非常灯
【請求項７】
電気光学式空気清浄機と夜間非常灯のための回路基板であって、該回路基板が頂部で光子イニシエータに接続され、
前記光子イニシエータが前記オゾン光管を直接起動させて、空気中のウィルスおよびバクテリアを除去することができ、該オゾン管が、該オゾン管による空気中のウィルスおよびバクテリアの除去を向上させる複数の通気孔となる、前記発光体の前端の上部内面に取り付けられ、
複数の電気イニシアティブ回路と、
前記発光体の電力を得るため通常電気コンセントに直接差し込まれる手段である、該発光体の下端部にある少なくとも２本の金属製の通常電気コネクタと、を含む回路基板。
【請求項８】
前記発光体が２電源に対する適応性を有して、前記電気イニシアティブ回路装置と前記発光体の前記非常灯電球との起動を可能にし、該電源が該発光体の底部の乾電池部品の頂部に取り付けられ、該電源が通常乾電池と充電池に対する適応性を有して、該乾電池と充電池との交換が可能であり、該２電源が交換可能であるとともに互換性を有する請求項７に記載の電気光学式空気清浄機と夜間非常灯の回路基板。
【考案の詳細な説明】
【技術分野】
【０００１】
本考案は、空気清浄機、より詳しくは、非常用常夜灯を備える空気清浄機に関連する。
【背景技術】
【０００２】
現代社会においては、照明装置は、家庭、病院、高齢者センター、ショッピングモール、劇場、レストラン、オフィスビル、自動車メーカー、エレベータ、様々な自動車、船舶、航空機、列車にとって必需品である。一方、空気清浄機は現在、一般的に使用されている。我々の社会がさらに工業化され、輸送車両に一層依存し、空気感染する病気が増えるにつれて、特に空気汚染の問題は悪化している。
【０００３】
従来の空気清浄機の大部分は、地域的な制限により２２０Ｖまたは１２０ボルトなどの通常の室内電源を必要とし、車両または輸送車両のバッテリによって発生される電源により空気清浄機が機能できる、主として輸送車両用に設計されたものはごくわずかである。室内電源とバッテリ電源の両方で機能することができる従来の空気清浄機はほとんど存在しない。
【０００４】
さらに、大部分の従来空気清浄機は、照明能力を持たない独立ユニットとして機能するように設計されている。消費者は、清浄な空気を得ながら照明も手に入れることを望むならば、さらに照明装置を購入してからこれを空気清浄機に取り付けなければならない。そのうえ、従来の空気清浄機の大部分は、非常時に照明を提供する能力を持たない設計であって、予測されない状況で必要となった場合に消費者の避難能力を低下させる。
【０００５】
さらに悪いことに、大部分の従来空気清浄機は、いわゆる空気の清浄を行うために、不要な空中の粒子を空気から分離するに過ぎない。しかし、空気中のマイナスイオンが健康に良いことは周知の事実である。空気清浄機が、マイナスイオンを発生させながら、不要な空中粒子を気流から分離することができれば、有益であろう。
【考案の開示】
【考案が解決しようとする課題】
【０００６】
本考案の主な目的は、室内電源と電池による電力の両方で機能することができる空気清浄機を提供することである。
【０００７】
本考案の別の目的は、照明能力を持ちながら、同時にまたは単独で空気の清浄を行う空気清浄機を提供することである。
【０００８】
本考案の別の目的は、非常時に照明手段を提供して、予測されない状況で必要となった場合に消費者の避難能力を高めることである。
【０００９】
本考案の別の目的は、マイナスイオンを発生させながら、不要な空中粒子を気流から分離する空気清浄機を提供することである。
【課題を解決するための手段】
【００１０】
したがって、以上の目的を達成するため、本考案は、複数の角柱発光体と、  少なくとも１本のオゾン光管と、前記発光体の内側に設けられた複数の２光源であって、該２光源の一方が、電源が入っていない時に点灯する非常灯電球であるとともに、他方が、通常使用中に常に点灯して非常時および／または電源が入っていない時には消灯する常時灯電球である、複数の２光源と、複数のパラボラ形反射体の端面に接続された透明フロントパネルとともに前記発光体の内部に装着された複数のパラボラ形反射体であって、着脱自在であるとともに、該発光体の前方端部に固定される反射体と、電気イニシアティブ回路と２本の通常電気コネクタとを備える複数の回路基板と、を含む非常用常夜灯を備える空気清浄機を提供する。
【考案を実施するための最良の形態】
【００１１】
電気光学式空気清浄機と非常用常夜灯の本考案は、角柱発光体（１）を有する。この発光体（１）の内部には、２個の光源が設けられ、２個の光源の一方は、電源が入っていない時に点灯する非常灯電球（２）であるのに対して、他方は、通常使用時には常に点灯していて非常時および／または電源が入っていない時には消灯する常時灯電球である。発光体の内側には、パラボラ形反射体（４）と、反射体（４）の端面に内側から接続された透明材料製の１枚のフロントパネル（５）も設けられている。反射体（４）は着脱自在であって、発光体（１）の前方端部に固定される。
【００１２】
図２に見られるように、第１光源は、発光体（１）の前方で反射体（４）の中央部に取り付けられた非常灯電球（２）である。非常灯電球（２）の底端は、可撓式にスタンド（６）に装着されている。スタンド（６）は回路基板（７）の上部に締め付けられ、回路基板（７）は、常に点灯している底端部の電球（３）による別の光源に接続されており、常に点灯している電球（３）は、半透明材料で製作されたランプシェード（９）に取り付けられている。このランプシェード（９）は、発光体（１）の前端の底部に密封状態で固定されている。この回路基板（７）は、頂部で光子イニシエータ（１０）に接続されている。この光子イニシエータはオゾン光管（１１）を直接起動させて、空気中のウィルスやバクテリアを除去できる。オゾン管（１１）は、オゾン管（１１）によるウィルスとバクテリアの除去を向上させる多数の通気孔（１２）となる発光体（１）の前端の上部内面に固定されている。
【００１３】
回路基板（７）は、電気イニシアティブ回路と、発光体（１）の電力を得るため通常の電気コンセントへ直接差し込まれる金属製の２本の公共電気コネクタ（１３）を下端に備える。
【００１４】
発光体（１）は２個の光源（１４）に対する適応性を備え、ユーザが持ち運びできるように本考案の電源をユーザにとって便利なものとする。通常電源が入っていない時には、電源（１４）が電気イニシアティブ回路装置と、発光体（１）の非常灯電球（２）とを起動させる。電源（１４）は、発光体（１）の底部の電池部品（８）の頂部に取り付けられる。電源（１４）は、通常の乾電池または充電池への適応性を持ち、乾電池と充電池の交換は可能である。
【００１５】
発光体（１）は、ユーザがオゾン管（１１）の電源をオンとオフにできるように清浄スイッチ（１５）を左側に有する。ユーザが非常灯電球（２）をオンまたはオフにできるように、発光体（１）の右側にはスイッチ（１６）が設けられている。
【図面の簡単な説明】
【００１６】
【図１】本考案の側面図である。
【図２】本考案の垂直断面図である。
【図３】本考案の垂直図である。
【図４】本考案の上面図である。
【図５】本考案の正面図である。
【図６】本考案の背面図である。
【図７】本考案の別の側面図である。
【図８】本考案の斜視図である。
【符号の説明】
【００１７】
１  角柱発光体
２  非常灯電球
３  常時灯電球
４  パラボラ形反射体
５  フロントパネル
６  スタンド
７  回路基板
８  バッテリ部品
９  ランプシェード
１０  光子イニシエータ
１１  オゾン管
１２  通気孔
１３  公共電気コネクタ
１４  電源
１５  清浄スイッチ
１６  スイッチ
【図１】
0003114503.tif 000003
【図２】
0003114503.tif 000004
【図３】
0003114503.tif 000005
【図４】
0003114503.tif 000006
【図５】
0003114503.tif 000007
【図６】
0003114503.tif 000008
【図７】
0003114503.tif 000009
【図８】
0003114503.tif 000010
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
複数の角柱発光体と、
少なくとも１本のオゾン光管と、
前記発光体の内側に設けられた複数の２光源であって、該２光源の一方が、電源が入っていない時に点灯する非常灯電球であるとともに、他方が、通常使用中は常に点灯して非常時および／または電源が入っていない時には消灯する常時灯電球である複数の２光源と、
複数のパラボラ形反射体の端面に接続された透明フロントパネルとともに前記発光体の内部に装着された複数のパラボラ形反射体であって、着脱自在であるとともに、該発光体の前方端部に固定される複数のパラボラ形反射体と、
電気イニシアティブ回路と２本の通常電気コネクタとを備える複数の回路基板と、
を含む電気光学式空気清浄機と夜間非常灯。
【請求項２】
前記パラボラ形反射体と、該反射体の端面に内側から接続された１枚のフロントパネルとが透明材料で製作され、該反射体が、着脱自在であるとともに、前記発光体の前方端部に固定される請求項１に記載の電気光学式空気清浄機と夜間非常灯。
【請求項３】
前記発光体が２電源を有して、ユーザが持ち運び可能に電力をユーザにとって便利なものとし、通常電力が入っていない時には、該電源が前記電気イニシアティブ回路装置と前記発光体の非常灯電球とを起動し、該発光体の底部の乾電池部品の頂部に該電源が取り付けられ、該電源が、通常の乾電池または充電池に対する適応性を有して該乾電池と充電池との交換が可能であり、該発光体がさらに、ユーザが前記オゾン管の電源をオンおよびオフにするための清浄スイッチを左側に含み、該発光体が該非常灯電球をオンおよびオフにする手段となるスイッチを該発光体の右側に含む、請求項１に記載の電気光学式空気清浄機と夜間非常灯。
【請求項４】
前記回路基板が頂部の光子イニシエータに接続され、該光子イニシエータが前記オゾン光管を直接起動して、空気中のウィルスとバクテリアとを除去し、該オゾン管が、該オゾン管による空気中のウィルスおよびバクテリアの除去を向上させる複数の通気孔となる前記発光体の前端の上方内面に取り付けられ、
該回路基板が、複数の電気イニシアティブ回路と、前記発光体の電源を得るように通常電気コンセントへ直接差し込まれる手段となる、該発光体の下端部にある少なくとも２本の金属製の通常電気コネクタと、
を含む請求項１に記載の電気光学式空気清浄機と夜間非常灯。
【請求項５】
前記発光体が２電源に対する適応性を有して、前記電気イニシアティブ回路と前記発光体の前記非常灯電球との起動を可能にし、該電源が、該発光体の底部の乾電池部品の頂部に取り付けられ、該電源が、通常乾電池または充電池に対する適応性を有して、該乾電池と充電池との交換が可能である請求項１に記載の電気光学式空気清浄機と夜間非常灯。
【請求項６】
前記２電源が交換可能であるとともに互換性を有する請求項１に記載の電気光学式空気清浄機と夜間非常灯。